(57)【特許請求の範囲】
【請求項１】
複数の審査員によって得点が与えられる個人あるいは団体の競技において、前記個人の名前あるいは前記団体の名前および競技の得点を表示する得点表示方法であって、
前記個人あるいは前記団体の名前を示す名前データを含む属性データと、前記個人あるいは団体に与えられる加点および減点を含む得点データとを関連付けた複数の表示用データを格納するデータベースを用意するステップと、
前記データベースに格納された前記複数の表示用データを係員用の第１表示装置に一覧表示する表示用データ表示ステップと、
入力部に対してなされる操作に基いて、前記一覧表示された複数の表示用データから１つの表示用データを選択する選択ステップと、
前記選択された１つの表示用データに含まれる前記得点データのうち前記加点が０点であるか否かを判定する判定ステップと、
前記判定ステップの判定結果が肯定の場合に、前記選択された１つの表示用データのうち前記得点データを除き少なくとも前記名前データを含む前記属性データを、競技前表示用データとして観客用の第２表示装置に表示させる競技前データ表示ステップと、
前記判定ステップの判定結果が否定の場合に、前記選択された１つの表示用データに含まれる少なくとも前記名前データを含む前記属性データと前記得点データとを、競技後表示用データとして前記第２表示装置に表示させる競技後データ表示ステップと、
を含むことを特徴とする得点表示方法。
【請求項２】
前記選択ステップおける前記入力部に対する操作は、前記一覧表示された複数の表示用データのそれぞれに対応して設けられた表示ボタンに対する操作である、
ことを特徴とする請求項１記載の得点表示方法。
【請求項３】
前記競技前データ表示ステップで表示される前記競技前表示用データと、前記競技後データ表示ステップで表示される前記競技後表示用データとでは、互いに文字の色、文字の大きさ、文字のレイアウト、背景色の色の少なくとも１つが異なっている、
ことを特徴とする請求項１または２記載の得点表示方法。
【請求項４】
前記競技は複数の種目を含み、
前記データベースは、前記表示用データを前記種目毎に関連付けて格納し、
前記表示用データ表示ステップは、
前記種目毎に関連付けられ前記種目を表示する種目表示タブをそれぞれ表示するステップと、
前記入力部に対してなされる操作に基いて、前記種目表示タブから１つの前記種目表示タブが選択されると、選択された前記種目表示タブに対応する種目の前記複数の表示用データを一覧表示し、かつ、前記選択された種目表示タブの表示状態を残りの種目表示タブと異ならせて表示するステップとを含む、
ことを特徴とする請求項１から３の何れか１項記載の得点表示方法。
【請求項５】
前記属性データは、前記種目を示す種目データを含み、
前記入力部に対してなされる操作に基いて、前記第１表示装置に一覧表示される前記複数の表示用データのうち最も上位の行に表示される１つの前記表示用データに含まれる前記種目データを変更すると、前記種目表示タブの表示内容を前記変更した種目データに対応して変更すると共に、前記複数の表示用データの前記種目データを前記変更した種目データに置き代える種目変更ステップをさらに含む、
ことを特徴とする請求項４記載の得点表示方法。
【請求項６】
前記表示用データ表示ステップは、前回選択された１つの表示用データの表示状態を残りの表示用データと異なる表示状態とする、
ことを特徴とする請求項１から５の何れか１項記載の得点表示方法。
【請求項７】
予め定められた操作以外の特定操作を前記入力部に対して行った場合に、前記第１表示装置にパスワードの入力を求める表示を行い、前記入力部に対する操作により入力されたパスワードが真正のものであれば前記特定操作を許容し、前記入力部に対する操作により入力されたパスワードが真正のものでなければ前記特定操作を禁止するステップをさらに含む、
ことを特徴とする請求項１から６の何れか１項記載の得点表示方法。
【請求項８】
前記表示用データ表示ステップによって前記第１表示装置に前記複数の表示用データを一覧表示させた状態で、前記第２表示装置の表示内容と同一の表示を前記第１表示装置に行わせるモニタ表示ステップをさらに含む、
ことを特徴とする請求項１から７の何れか１項記載の得点表示方法。
【請求項９】
前記判定ステップは、前記選択された１つの表示用データに含まれる前記得点データのうち前記加点が空白データである場合に前記加点が０点であるものとして判定を行なう、
ことを特徴とする請求項１から８の何れか１項記載の得点表示方法。
【請求項１０】
複数の審査員によって得点が与えられる個人あるいは団体の競技において、前記個人の名前あるいは前記団体の名前および競技の得点を表示する情報処理装置であって、
前記個人あるいは前記団体の名前を示す名前データを含む属性データと、前記個人あるいは団体に与えられる加点および減点を含む得点データとを関連付けた複数の表示用データを格納するデータベースと、
前記データベースに格納された前記複数の表示用データを第１表示装置に一覧表示する表示用データ表示部と、
入力部に対してなされる操作に基いて、前記一覧表示された複数の表示用データから１つの表示用データを選択する表示用データ選択部と、
前記選択された１つの表示用データに含まれる前記得点データのうち前記加点が０点であるか否かを判定する判定部と、
前記判定部の判定結果が肯定の場合に、前記選択された１つの表示用データのうち前記得点データを除き少なくとも前記名前データを含む前記属性データを、競技前表示用データとして観客用の第２表示装置に表示させる競技前データ表示部と、
前記判定部の判定結果が否定の場合に、前記選択された１つの表示用データに含まれる少なくとも前記名前データを含む前記属性データと前記得点データとを、競技後表示用データとして前記第２表示装置に表示させる競技後データ表示部と、
を含むことを特徴とする情報処理装置。
【請求項１１】
前記表示用データ選択部における前記入力部に対する操作は、前記一覧表示された複数の表示用データのそれぞれに対応して設けられた表示ボタンに対する操作である、
ことを特徴とする請求項１０記載の情報処理装置。
【請求項１２】
前記競技前表示用データと前記競技後表示用データとでは、互いに文字の色、文字の大きさ、文字のレイアウト、背景色の色の少なくとも１つが異なっている、
ことを特徴とする請求項１０または１１記載の情報処理装置。
【請求項１３】
前記競技は複数の種目を含み、
前記データベースは、前記表示用データを前記種目毎に関連付けて格納し、
前記表示用データ表示部は、
前記種目毎に関連付けられ前記種目を表示する種目表示タブをそれぞれ表示する第１の種目表示タブ表示部と、
前記入力部に対してなされる操作に基いて、前記種目表示タブから１つの前記種目表示タブが選択されると、選択された前記種目表示タブに対応する種目の前記複数の表示用データを一覧表示し、かつ、前記選択された種目表示タブの表示状態を残りの種目表示タブと異ならせて表示する第２の種目表示タブ表示部とを含む、
ことを特徴とする請求項１０から１２の何れか１項記載の情報処理装置。
【請求項１４】
前記属性データは、前記種目を示す種目データを含み、
前記入力部に対してなされる操作に基いて、前記第１表示装置に一覧表示される前記複数の表示用データのうち最も上位の行に表示される１つの前記表示用データに含まれる前記種目データを変更すると、前記種目表示タブの表示内容を前記変更した種目データに対応して変更すると共に、前記複数の表示用データの前記種目データを前記変更した種目データに置き代える種目変更部をさらに含む、
ことを特徴とする請求項１３記載の情報処理装置。
【請求項１５】
前記表示用データ表示部は、前回選択された１つの表示用データの表示状態を残りの表示用データと異なる表示状態とする、
ことを特徴とする請求項１０から１４の何れか１項記載の情報処理装置。
【請求項１６】
前記入力部に予め定められた操作以外の特定操作を行った場合に、前記第１表示装置にパスワードの入力を求める表示を行い、入力されたパスワードが真正のものであれば前記特定操作を許容し、入力されたパスワードが真正のものでなければ前記特定操作を禁止する誤操作防止部をさらに含む、
ことを特徴とする請求項１０から１５の何れか１項記載の情報処理装置。
【請求項１７】
前記表示用データ表示部によって前記第１表示装置に前記複数の表示用データを一覧表示させた状態で、前記第２表示装置の表示内容と同一の表示を前記第１表示装置に行わせるモニタ表示部をさらに含む、
ことを特徴とする請求項１０から１６の何れか１項記載の情報処理装置。
【請求項１８】
前記情報処理装置と前記第２表示装置とは、送信機と、ＬＡＮ回線と、受信機とを介してデータ通信可能に構成され、
前記送信機は、前記情報処理装置から提供される映像信号をＬＡＮ信号に変換して前記ＬＡＮ回線を介して前記受信機に供給し、
前記受信機は、前記ＬＡＮ回線を介して受け付けた前記ＬＡＮ信号を映像信号に変換して前記第２表示装置に供給する、
ことを特徴とする請求項１０から１７の何れか１項記載の情報処理装置。
【請求項１９】
情報処理装置において実行されるプログラムであって、
前記情報処理装置を、
個人あるいは団体の名前を示す名前データを含む属性データと、前記個人あるいは前記団体に与えられる加点および減点を含む得点データとを関連付けた複数の表示用データを格納するデータベースと、
前記データベースに格納された前記複数の表示用データを第１表示装置に一覧表示する表示用データ表示部と、
入力部に対してなされる操作に基いて、前記一覧表示された複数の表示用データから１つの表示用データを選択する表示用データ選択部と、
前記選択された１つの表示用データに含まれる前記得点データのうち前記加点が０点であるか否かを判定する判定部と、
前記判定部の判定結果が肯定の場合に、前記選択された１つの表示用データのうち前記得点データを除き少なくとも前記名前データを含む前記属性データを、競技前表示用データとして観客用の第２表示装置に表示させる競技前データ表示部と、
前記判定部の判定結果が否定の場合に、前記選択された１つの表示用データに含まれる少なくとも前記名前データを含む前記属性データと前記得点データとを、競技後表示用データとして前記第２表示装置に表示させる競技後データ表示部と、
して機能させるためのプログラム。
【発明の詳細な説明】
【技術分野】
【０００１】
本発明は得点表示方法および情報処理装置並びにプログラムに関する。
【背景技術】
【０００２】
複数の審査員によって得点が与えられる個人あるいは団体の競技、例えば、新体操、体操、競技ダンスなどにおいては、競技が行われる会場に設置された表示装置に、個人あるいは団体の名前や得点などの情報を表示させ、会場の観客がそれらの情報を見ることができるように図られている。
具体的には、個人あるいは団体の名前、所属する組織の名称、演技順を示す番号などの得点以外の情報を表示するための第１の情報処理装置（パーソナルコンピュータ）および第１の情報処理装置に接続された第１の表示装置と、得点を示す情報を表示するための第２の情報処理装置および第２の情報処理装置（パーソナルコンピュータ）に接続された第２の表示装置とを用意しておく。
そして、各個人あるいは各団体の競技がなされる前に、第１の情報処理装置を操作することにより、第１の表示装置に個人あるいは団体の名前、所属する組織の名称、演技順を示す番号などの得点以外の情報を表示させる。
また、各個人あるいは各団体の競技がなされ、得点が決定した後に、第２の情報処理装置を操作することにより、第２の表示装置に得点を示す情報を表示させる。
なお、特許文献１には、バスケットボールや柔道などの対戦型スポーツの得点を表示する技術が開示されているものの、複数の審査員によって得点が与えられる個人あるいは団体の競技において競技前に得点以外の情報を表示させ、得点決定後に得点と得点以外の情報を表示させる点については開示されていない。
【先行技術文献】
【特許文献】
【０００３】
【特許文献１】特開２０１３−８１６１６号公報
【発明の概要】
【発明が解決しようとする課題】
【０００４】
しかしながら、上記従来方法では、観客に情報を表示させるために、２台の表示装置と２台の情報処理装置が必要となるため、設備費用が高くなり、また、観客は２台の表示装置に表示された情報をそれぞれ視線を変えて視認しなくてはならず、情報が見づらいものとなっている。さらに、係員が２台の情報処理装置を操作しなくてはならず、係員の負担が重く、また、操作ミスにより誤った表示を行なうおそれもある。
本発明は、このような事情に鑑みてなされたものであり、その目的は、設備費用の低減を図りつつ、観客にとって見やすい表示を行なえ、係員の負担の軽減を図ると共に誤った表示を防止する上で有利な得点表示方法および情報処理装置並びにプログラムを提供することにある。
【課題を解決するための手段】
【０００５】
上記目的を達成するために、請求項１記載の発明は、複数の審査員によって得点が与えられる個人あるいは団体の競技において、前記個人の名前あるいは前記団体の名前および競技の得点を表示する得点表示方法であって、前記個人あるいは前記団体の名前を示す名前データを含む属性データと、前記個人あるいは団体に与えられる加点および減点を含む得点データとを関連付けた複数の表示用データを格納するデータベースを用意するステップと、前記データベースに格納された前記複数の表示用データを係員用の第１表示装置に一覧表示する表示用データ表示ステップと、入力部に対してなされる操作に基いて、前記一覧表示された複数の表示用データから１つの表示用データを選択する選択ステップと、前記選択された１つの表示用データに含まれる前記得点データのうち前記加点が０点であるか否かを判定する判定ステップと、前記判定結果が肯定の場合に、前記選択された１つの表示用データのうち前記得点データを除き少なくとも前記名前データを含む前記属性データを、競技前表示用データとして観客用の第２表示装置に表示させる競技前データ表示ステップと、前記判定結果が否定の場合に、前記選択された１つの表示用データに含まれる少なくとも前記名前データを含む前記属性データと前記得点データとを、競技後表示用データとして前記第２表示装置に表示させる競技後データ表示ステップとを含むことを特徴とする。
請求項９記載の発明は、複数の審査員によって得点が与えられる個人あるいは団体の競技において、前記個人の名前あるいは前記団体の名前および競技の得点を表示する情報処理装置であって、前記個人あるいは前記団体の名前を示す名前データを含む属性データと、前記個人あるいは団体に与えられる加点および減点を含む得点データとを関連付けた複数の表示用データを格納するデータベースと、前記データベースに格納された前記複数の表示用データを第１表示装置に一覧表示する表示用データ表示部と、入力部に対してなされる操作に基いて、前記一覧表示された複数の表示用データから１つの表示用データを選択する表示用データ選択部と、前記選択された１つの表示用データに含まれる前記得点データのうち前記加点が０点であるか否かを判定する判定部と、前記判定結果が肯定の場合に、前記選択された１つの表示用データのうち前記得点データを除き少なくとも前記名前データを含む前記属性データを、競技前表示用データとして観客用の第２表示装置に表示させる競技前データ表示部と、前記判定結果が否定の場合に、前記選択された１つの表示用データに含まれる少なくとも前記名前データを含む前記属性データと前記得点データとを、競技後表示用データとして前記第２表示装置に表示させる競技後データ表示部とを含むことを特徴とする。
請求項１８記載の発明は、情報処理装置において実行されるプログラムであって、前記情報処理装置を、前記個人あるいは前記団体の名前を示す名前データを含む属性データと、前記個人あるいは団体に与えられる加点および減点を含む得点データとを関連付けた複数の表示用データを格納するデータベースと、前記データベースに格納された前記複数の表示用データを第１表示装置に一覧表示する表示用データ表示部と、入力部に対してなされる操作に基いて、前記一覧表示された複数の表示用データから１つの表示用データを選択する表示用データ選択部と、前記選択された１つの表示用データに含まれる前記得点データのうち前記加点が０点であるか否かを判定する判定部と、前記判定結果が肯定の場合に、前記選択された１つの表示用データのうち前記得点データを除き少なくとも前記名前データを含む前記属性データを、競技前表示用データとして観客用の第２表示装置に表示させる競技前データ表示部と、前記判定結果が否定の場合に、前記選択された１つの表示用データに含まれる少なくとも前記名前データを含む前記属性データと前記得点データとを、競技後表示用データとして前記第２表示装置に表示させる競技後データ表示部として機能させるものである。
【発明の効果】
【０００６】
請求項１、９、１８記載の発明によれば、データベースに格納された複数の表示用データを第１表示装置に一覧表示し、入力部に対してなされる操作に基いて、一覧表示された複数の表示用データから１つの表示用データを選択し、選択された１つの表示用データに含まれる得点データのうち加点が０点であるか否かを判定し、判定結果が肯定の場合に、選択された１つの表示用データのうち得点データを除き少なくとも名前データを含む属性データを、競技前表示用データとして観客用の第２表示装置に表示させ、判定結果が否定の場合に、選択された１つの表示用データに含まれる少なくとも名前データを含む属性データと得点データとを、競技後表示用データとして第２表示装置に表示させるようにした。
したがって、従来のように、競技前の情報を表示するための情報処理装置および表示装置と、競技後の情報を表示するための情報処理装置および表示装置とを用意する必要がなく、１つの情報処理装置を用いて第２表示装置に競技前の情報と競技後の情報とを表示させることができる。
そのため、設備費用の低減を図る上で有利となり、競技前の情報と競技後の情報とを観客にとって見やすく表示する上で有利となる。
さらに、表示用データに含まれる得点データのうち加点が０点であるか否かに基いて、競技前表示用データおよび競技後表示用データの一方を選択して第２表示装置に表示させるようにしたので、競技前表示用データおよび競技後表示用データの何れを表示させるかを係員が判断する必要がなく、係員の負担の軽減を図り、また、誤った表示を行なうことを防止する上でも有利となる。
【図面の簡単な説明】
【０００７】
【図１】実施の形態に係る情報処理装置の構成を示すブロック図である。
【図２】実施の形態に係る情報処理装置の構成を示す機能ブロック図である。
【図３】（Ａ）〜（Ｄ）はデータベースの説明図である。
【図４】係員用表示部に表示される表示画面の説明図であり、競技前にデフォルト値の０点が得点として入力されている状態を示す。
【図５】係員用表示部に表示される表示画面の説明図であり、競技後、得点が入力された状態を示す。
【図６】会場用表示装置に表示される表示画面の説明図であり、競技前に得点以外の情報が表示された状態を示す。
【図７】（Ａ）、（Ｂ）は会場用表示装置に表示される表示画面の説明図であり、競技後、得点が表示された状態を示す。
【図８】係員用表示部に表示される表示画面の説明図であり、種目表示タブの表示内容を変更する場合について示す。
【図９】係員用表示部に表示されるパスワード入力を要求する表示画面の説明図である。
【図１０】２つの種目を交互に行なう場合における情報処理装置の表示部に表示される表示画面の第１の説明図である。
【図１１】２つの種目を交互に行なう場合における情報処理装置の表示部に表示される表示画面の第２の説明図である。
【図１２】２つの種目を交互に行なう場合における情報処理装置の表示部に表示される表示画面の第３の説明図である。
【図１３】２つの種目を交互に行なう場合における情報処理装置の表示部に表示される表示画面の第４の説明図である。
【図１４】実施の形態に係る情報処理装置の動作フローチャートである。
【図１５】入力部に対する特定操作が行われた場合の動作フローチャートである。
【発明を実施するための形態】
【０００８】
以下、本発明の実施の形態に係る情報処理装置と共に得点表示方法、プログラムについて図面を参照して説明する。
なお、本実施の形態では、得点を表示する競技が女子の新体操である場合について説明するが、本発明は、体操や競技ダンスなど、個人あるいは団体に対して審査員によって得点が与えられる従来公知の様々な競技に適用可能である。
【０００９】
図１は本実施の形態に係る情報処理装置の構成を示すブロック図である。
本実施の形態では、情報処理装置（コンピュータ）１０は、ノート型パーソナルコンピュータで構成されており、競技会場に設置され、得点の表示を行なう係員が操作するものである。
なお、情報処理装置１０は、ノート型パーソナルコンピュータに限定されるものではなく、デスクトップ型パーソナルコンピュータ、タブレット型端末など従来公知の様々なコンピュータを用いることができる。
また、競技会場には、情報処理装置１０の他に、何れも後述するデータ通信装置３４と、会場の観客に得点を含む情報を表示するための会場用表示装置３６とが設置される。本実施の形態では、会場用表示装置３６は特許請求の範囲の第２表示装置を構成している。
【００１０】
情報処理装置１０は、ＣＰＵ１２と、バスラインを介して接続されたＲＯＭ１４、ＲＡＭ１６、ハードディスク装置１８、係員用表示部２０、入力部２２、通信部２４、外部接続コネクタ２６、カードスロット２８、インターフェース３０などを含んで構成されている。
ＲＯＭ１４は、各種のデータを格納・記憶するものである。
ＲＡＭ１６はＣＰＵ１２のワーキングエリアを提供するものである。
ハードディスク装置１８は、ＣＰＵ１２が実行する本発明に係るプログラムを格納するものである。なお、プログラムは、後述するサーバー４から通信網２を介して通信部２４からハードディスク装置１８に格納してもよいし、外部接続コネクタ２６に接続された外部装置からハードディスク装置１８に格納してもよいし、カードスロット２８に接続されたカード型記録媒体からハードディスク装置１８に格納してもよい。
また、ハードディスク装置１８は、図２に示すデータベース３２を構成しており、データベース３２については後述する。
【００１１】
係員用表示部２０は、文字や画像を表示するものであり、液晶表示装置などのフラットパネルディスプレイで構成されている。本実施の形態では、係員用表示部２０は、特許請求の範囲の第１表示装置を構成している。
入力部２２は、入力操作を受け付けるものであり、キーボードおよびマウスによって構成されている。なお、入力部２２は、係員用表示部２０の表示面上に設けられたタッチパネルで構成してもよく、入力部２２として従来公知の様々な構成の入力デバイスが使用可能である。
【００１２】
通信部２４は、無線回線およびインターネットを含む通信網２を経由してサーバ４と通信を行なうものである。
外部接続コネクタ２６は、外部装置と接続されるコネクタであり、ＨＤＭＩ（登録商標）コネクタ、ＵＳＢコネクタなどの外部装置とデータ通信可能なコネクタで構成されている。
本実施の形態では、外部接続コネクタ２６としてのＨＤＭＩ（登録商標）コネクタがデータ通信装置３４に接続され、データ通信装置３４を介して会場用表示装置３６に画像データが伝送されるように構成されている。
カードスロット２８は、カード型の記録媒体が装脱可能に装着されるものである。
インターフェース３０は、外部接続コネクタ２６、カードスロット２８を介して外部装置やカード型記録媒体とＣＰＵ１２との間で通信を行なうものである。
【００１３】
ＣＰＵ１２は、図２に示すように、上記プログラムを実行することにより、ハードディスク装置１８をデータベース３２として機能させるものであり、また、上記プログラムを実行することにより、表示用データ表示部１２Ａ、表示用データ選択部１２Ｂ、判定部１２Ｃ、競技前データ用表示部１２Ｄ、競技後データ用表示部１２Ｅ、モニタ表示部１２Ｆ、種目変更部１２Ｇ、誤操作防止部１２Ｈを実現するものである。
【００１４】
図３（Ａ）〜（Ｄ）に示すように、データベース３２は、個人あるいは団体の名前を示す名前データを含む属性データＤＡと、個人あるいは団体に与えられる得点データＤＢとを関連付けた複数の表示用データを格納するものである。なお、図３（Ａ）〜（Ｄ）では、競技者が５名であり、表示用データが５つである場合を例示しているが、表示用データは競技者の数に対応して増減されることはいうまでもない。
本実施の形態では、新体操の競技がフープ、ボール、クラブ、ロープの４つの種目を含む場合について説明する。
【００１５】
データベース３２は、表示用データを４つの種目毎に関連付けて格納する。
また、以下の実施の形態では、競技者が個人である場合について説明するが、競技者が団体であっても本発明は無論適用可能であり、その場合は、団体名データｄ４が名前データを構成することになる。
図３（Ａ）は種目がフープである表示用データを示す。
表示用データのうち属性データＤＡは、競技順（出場順）を示す番号データｄ１と、種目を示す種目データｄ２と、競技者が所属する地区を示す地区データｄ３と、競技者が所属する団体名を示す団体名データｄ４と、競技者の氏名を示す選手名データｄ５（名前データ）とを含んで構成されている。
属性データＤＡは、上記のデータｄ１〜ｄ５の構成に限定されるものではないが、少なくとも選手名データ（名前データ）ｄ５を含むものであればよく任意に設定される。
【００１６】
表示用データのうち得点データＤＢは、得点のうちＤ点（難度）を示すＤ点データｄ６と、得点のうちＥ点（実施）を示すＥ点データｄ７と、減点を示す減点データｄ８と、Ｄ点とＥ点と減点との合計である合計得点データｄ９とを含んで構成されている。
ここで、Ｄ点データｄ６と、Ｅ点データｄ７と、合計得点データｄ９とは、競技後の点数が必ず０点より大きな点数となる加点であり、減点データｄ８は、競技後に０点となる可能性がある減点である。すなわち、得点データＤＢは加点および減点を含む。
得点データＤＢは、上記のデータｄ６〜ｄ９の構成に限定されるものではなく、競技の種類に応じてデータの構成が変更されることは無論である。
図３（Ｂ）は種目がボールである表示用データ、図３（Ｃ）は種目がクラブである表示用データ、図３（Ｄ）は種目がロープである表示用データをそれぞれ示す。
【００１７】
表示用データ表示部１２Ａは、図４に示すように、データベース３２に格納された複数の表示用データを係員用表示部２０に一覧表示するものである。
また、本実施の形態では、表示用データ表示部１２Ａは、図２に示すように、第１の種目表示タブ表示部１２０２と、第２の種目表示タブ表示部１２０４とを含んでいる。
第１の種目表示タブ表示部１２０２は、図４に示すように、種目毎に関連付けられ種目を表示する種目表示タブＴ１〜Ｔ４をそれぞれ表示するものである。
第２の種目表示タブ表示部１２０４は、図４に示すように、入力部２２の操作により種目表示タブＴ１〜Ｔ４から１つの種目表示タブが選択されると、選択された種目表示タブに対応する種目の複数の表示用データを一覧表示し、かつ、選択された種目表示タブの表示状態を残りの種目表示タブと異ならせて表示するものである。
表示状態を異ならせるとは、タブの色、大きさ、タブの枠線の有無などを変化させることであり、要するに、係員が目視した場合に種目表示タブの変化が容易にわかるものであればよい。
具体的には、マウスの操作によりマウスポインタで種目表示タブＴ１〜Ｔ４から１つの種目表示タブ、例えば、図４に示すように、フープのタブＴ１を選択しクリックすると、選択された種目表示タブＴ１に対応する種目であるフープの複数の表示用データが一覧表示され、かつ、選択されたフープの種目表示タブＴ１の表示状態を残りの種目表示タブと異ならせて表示される。例えば、選択されたフープの種目表示タブＴ１の色が青色で表示され、残りの種目表示タブの色が灰色で表示される。なお、以下の図面では、種目表示タブの枠にハッチングを描くことで種目表示タブＴ１の表示状態が変更されたことを示す。
【００１８】
同様に、ボール、クラブ、ロープの種目表示タブＴ２、Ｔ３、Ｔ４を入力部２２の操作によりそれぞれ選択すれば、図４と同様に、ボール、クラブ、ロープの表示用データがそれぞれ一覧表示され、選択された種目表示タブの表示状態が残りの種目表示タブと異ならせて表示される。
このようにすることで、種目表示タブを視認することで、現在選択されている表示用データの種目が何であるかを容易にかつ即座に知ることができ、操作性の向上を図る上で有利となる。
【００１９】
なお、種目として団体戦もあり、図中符号Ｔ０は、団体戦に対応する種目表示タブを示しており、マウスの操作によりマウスポインタで団体戦の種目表示タブＴ０を選択しクリックすると、選択された種目表示タブＴ０に対応する種目である団体戦の複数の表示用データが一覧表示され、かつ、選択された団体戦の種目表示タブＴ０の表示状態が残りの種目表示タブと異ならせて表示される。
したがって、団体戦も種目の一つとして扱われるが、以下では説明を簡略化するため、種目がフープ、ボール、クラブ、ロープの４つの種目である場合についてのみ説明する。
【００２０】
表示用データ選択部１２Ｂは、入力部２２に対してなされる操作に基いて、一覧表示された複数の表示用データから１つの表示用データ（１行の表示用データ）を選択するものである。言い換えると、１人の競技者に対応する表示用データを選択するものである。
本実施の形態では、図４、図５に示すように、一覧表示された表示用データの左側に、各表示用データに対応して表示ボタンＢ１が表示されている。
係員用表示部２０の表示画面に一覧表示されている複数の表示用データのうち選択しようとする行の表示ボタンＢ１をマウス操作によりマウスポインタで選択してクリックすることで１つの表示用データが選択される。
したがって、表示用データ選択部１２Ｂによる表示用データの選択は、一覧表示された複数の表示用データのそれぞれに対応して設けられた表示ボタンＢ１に対する入力部２２の操作によってなされることになる。
なお、表示ボタンＢ１を操作することに代えて、係員用表示部２０の表示画面に一覧表示されている複数の表示用データのうち選択しようとする行の表示用データをマウス操作によりマウスポインタで選択してクリックすることで１つの表示用データを選択するようにしてもよいが、本実施の形態のように表示ボタンＢ１を設けると、簡単確実に表示用データの選択を行なえ、操作性の向上を図る上で有利となる。
【００２１】
判定部１２Ｃは、表示用データ選択部１２Ｂで選択された１つの表示用データに含まれる得点データＤＢのうち加点が０点であるか否かを判定するものである。具体的には、Ｄ点データｄ６、Ｅ点データｄ７、合計得点データｄ９の少なくとも１つに基いて加点が０点であるか否かを判定する。
なお、競技開始前においてデータベース３２に格納された表示用データの得点データＤＢには、すなわち、Ｄ点データｄ６、Ｅ点データｄ７、減点データｄ８、合計得点データｄ９の全てには、デフォルト値として０点が予め入力されている。
また、Ｄ点データｄ６、Ｅ点データｄ７、減点データｄ８、合計得点データｄ９は、競技後、審査員による得点が決定した後、係員が入力部２２を用いて入力する。
また、本実施の形態では、加点としてデフォルト値として０点が入力されているものとして説明するが、表示用データの得点データＤＢのうち少なくとも加点（データｄ６，ｄ７，ｄ８，ｄ９）が０点でなく、空白データ（未入力）であってもよい。この場合、判定部１２Ｃは、表示用データ選択部１２Ｂで選択された１つの表示用データに含まれる得点データＤＢのうち加点が空白データであると、加点が０点であるものとして（加点が０点であるとみなして）判定を行なう。
【００２２】
競技前データ表示部１２Ｄは、判定部１２Ｃによる判定結果が肯定の場合に、選択された１つの表示用データのうち得点データＤＢを除き少なくとも選手名データｄ５を含む属性データＤＡを、競技前表示用データとして観客用の会場用表示装置３６に表示させるものである。
すなわち、本実施の形態では、図４に示すように、番号１に対応する表示用データのうち得点データＤＢの加点がデフォルト値の０点である状態で、番号１に対応する表示用データが表示ボタンＢ１の操作により選択されると、図６に示すように、得点データＤＢを除く属性データＤＡの全てが会場用表示装置３６に表示される。
【００２３】
競技後データ表示部１２Ｅは、判定部１２Ｃによる判定結果が否定の場合に、選択された１つの表示用データに含まれる少なくとも選手名データｄ５を含む属性データＤＡと得点データＤＢとを、競技後表示用データとして会場用表示装置３６に表示させるものである。
すなわち、本実施の形態では、図５に示すように、番号１に対応する表示用データのうち得点データＤＢが入力部２２により入力された状態で、番号１に対応する表示用データが表示ボタンＢ１の操作により選択されると、図７（Ａ）に示すように、属性データＤＡの全てと得点データＤＢとが会場用表示装置３６に表示される。
なお、会場用表示装置３６に表示される競技前表示用データと競技後表示用データとでは、互いに文字の色、文字の大きさ、文字のレイアウト、背景色の色の少なくとも１つを異ならせても良い。
このようにすると、観客は、会場用表示装置３６に表示された表示内容が、競技前であるか、競技後であるかを容易にかつ即座に知ることができ、見やすさの向上を図る上で有利となる。
例えば、図７（Ｂ）に示すように、会場用表示装置３６に表示される競技後表示用データでは、番号データｄ１、種目データｄ２、選手名データｄ５、Ｄ点データｄ６、Ｅ点データｄ７、減点データｄ８、合計得点データｄ９を表示し、かつ、合計得点データｄ９の文字を最も大きく表示してもよい。また、合計得点データｄ９の文字色を残りのデータの文字と異なる色としてもよい。このようにすると、合計得点を視認しやすくする上で有利となる。
また、選手名データｄ５の文字数が少ないほど選手名データｄ５の文字の大きさを大きくし、選手名データｄ５の文字数が多いほど選手名データｄ５の文字の大きさを小さくレイアウトしてもよい。このようにすると、会場用表示装置３６の限られた大きさの表示画面を有効に利用でき、選手名を視認しやすくする上で有利となる。
【００２４】
モニタ表示部１２Ｆは、図４、図５に示すように、表示用データ表示部１２Ａによって係員用表示部２０に複数の表示用データを一覧表示させた状態で、会場用表示装置３６の表示内容と同一の表示３８を係員用表示部２０に行わせるものである。
したがって、係員は、係員用表示部２０の表示を見るだけで、会場用表示装置３６の表示内容を把握することができ、操作性の向上を図る上で有利となる。
【００２５】
種目変更部１２Ｇ、種目データｄ２を変更するものである。
具体的には、種目変更部１２Ｇは、係員用表示部２０に一覧表示される複数の表示用データのうち最も上位の行に表示される１つの表示用データに含まれる種目データｄ２を入力部２２の操作により変更すると、種目表示タブの表示内容を、変更した種目データｄ２に変更すると共に、複数の表示用データの種目データｄ２を変更した種目データｄ２に置き代える。
例えば、図４に示すように、種目表示タブのうちフープの種目表示タブＴ１が選択された状態で、図８に示すように、一覧表示される複数の表示用データのうち最も上位の行に表示される表示用データに含まれる種目データｄ２を入力部２２の操作によりフープからリボンに変更する。
すると、種目表示タブＴ１の表示内容もフープからリボンに自動的に変更される。
【００２６】
また、図８では、一覧表示された表示用データのうち最上位の行の種目データｄ２のみが変更され、残りの行の種目データｄ２はその表示内容がフープのまま維持されているが、図８で一覧表示された表示用データについては、全ての種目データｄ２がフープからリボンに置き換えられて扱われ、したがって、競技前データ表示部１２Ｄおよび競技後データ表示部１２Ｅによる会場用表示装置３６への表示用データの表示では、変更された種目データｄ２であるリボンとして表示される。
このようにすると、種目データｄ２の変更を簡単に行なえ、操作性の向上を図る上で有利となる。
【００２７】
また、情報処理装置１０は、パーソナルコンピュータであることから、得点表示に関する限定された操作以外の特定操作、例えば、ファイルの削除などを行なうと、得点表示が正常に行なえないなどの不都合が生じる。
したがって、情報処理装置１０を使いなれていない係員が不用意に、あるいは、誤って特定操作を行なうことを防止することが好ましい。
誤操作防止部は、入力部２２に予め定められた操作以外の特定操作を行った場合に、図９に示すように、係員用表示部２０にパスワードの入力を求める表示を行い、入力されたパスワードが真正のものであれば特定操作を許容し、入力されたパスワードが真正のものでなければ特定操作を禁止するものである。
このような誤操作防止部１２Ｈを設けると、パスワードを知らない係員が特定操作を行なうことを防止でき、得点表示を正常に行なえなくなるといった不都合を回避する上で有利となる。
【００２８】
また、新体操では、１つのフロアにおいて、２種類の種目を交互に演技することが多い。例えば、第１の競技者がフープを演技したのち、第２の競技者がボールを演技し、次いで第３の競技者がフープを演技し、その後、第４の競技者がボールを演技するといった順番である。
すなわち、同一の種目を続けて演技すると、審査員による審査に時間がかかるため、競技の進行を円滑に行なう上で不利がある。そこで、予め種目毎に異なる審査員を用意しておき、２種類の種目を交互に演技して審査を行なうようにすることで競技の進行を円滑に行なうためである。
この場合、得点表示を行なう係員は、係員用表示部２０の表示画面上において、フープの表示用データの一覧表示と、ボールの表示用データの一覧表示とを交互に切り替えて操作することになる。
したがって、一覧表示の画面を切り替える毎に、前回得点を表示した競技者が何番目の競技者であったかを常に記憶しておかなくてはならず、仮に何番目の競技者であったかを失念すると、得点表示を誤って行なうおそれが考えられる。
そこで、本実施の形態では、表示用データ表示部１２Ａは、前回選択された１つの表示用データの表示状態を残りの表示用データと異なる表示状態とするようにしている。
【００２９】
以下具体的に説明する。
図１０は、種目がフープで番号１の競技者の演技後、得点が入力されたのち、表示ボタンＢ１が操作され、会場用表示装置３６に競技前表示用データが表示された状態における係員用表示部２０の表示内容を示している。
図１１は、次の競技者、すなわち、種目がボールで番号１の競技者の演技後、得点が入力されたのち、表示ボタンＢ１が操作され、会場用表示装置３６に競技前表示用データが表示された状態における係員用表示部２０の表示内容を示している。
【００３０】
図１２は、その次の競技者の競技前の状態を示す。すなわち、フープの種目表示タブＴ１が操作された状態を示す。
この場合、前回の番号１の競技者に対応する１つの表示用データの行がハッチングで示すように、残りの表示用データの行とは異なる背景色で表示されている。
したがって、係員は、フープの次の競技者が番号２の競技者であることを確実かつ容易に把握することができる。そのため、係員は、フープの番号２の競技者に対応する表示ボタンＢ１を操作することで、会場用表示装置３６に、競技前表示用データとして得点を除く表示用データを表示させることができる。そして、得点が決定したならば、得点を入力し、表示ボタンＢ１を操作することで、番号２の競技者の得点を含む競技後表示用データが会場用表示装置３６に表示される。
【００３１】
図１３は、さらに次の競技者の競技前の状態を示す。すなわち、ボールの種目表示タブＴ２が操作された状態を示す。
この場合、ボールの前回の番号１の競技者に対応する１つの表示用データの行がハッチングで示すように、残りの表示用データの行とは異なる背景色で表示されている。
したがって、係員は、次の競技者が番号２の競技者であることを確実かつ容易に把握することができる。そのため、係員は、番号２の競技者に対応する表示ボタンＢ１を操作することで、会場用表示装置３６に、競技前表示用データとして得点を除く表示用データを表示させることができる。そして、得点が決定したならば、得点を入力し、表示ボタンＢ１を操作することで、ボールの番号２の競技者の得点を含む競技後表示用データが会場用表示装置３６に表示される。
このように、前回選択された１つの表示用データの表示状態が残りの表示用データと異なる表示状態となるため、係員は、種目を交互に切り替えながら得点表示を行なう際に、得点表示を誤って行なうことが防止される。
【００３２】
次に、データ通信装置３４、会場用表示装置３６について説明する。
図１、図２に示すように、データ通信装置３４は、情報処理装置１０と会場用表示装置３６とをデータ通信可能に接続するものである。
データ通信装置３４は、送信機３４Ａと、ＬＡＮ回線３４Ｂと、受信機３４Ｃとを含んで構成されている。
送信機３４Ａは、情報処理装置１０から提供される表示用データとしてのＨＤＭＩ（登録商標）信号（映像信号）をＬＡＮ信号に変換してＬＡＮ回線３４Ｂを介して受信機３４Ｃに供給する。
受信機３４Ｃは、ＬＡＮ回線３４Ｂを介して受け付けたＬＡＮ信号を表示用データとしてのＨＤＭＩ（登録商標）信号（映像信号）に変換して会場用表示装置３６に供給する。
これにより、会場用表示装置３６に表示用データが表示される。
会場用表示装置３６は、競技会場の観客が視認可能な箇所に設置された大型モニタで構成されている。会場用表示装置３６は、複数個設けられていてもよく、この場合は、受信機３４Ｃから受信したＨＤＭＩ（登録商標）信号（映像信号）を各会場用表示装置３６に分配する分配器を設ければ良い。
【００３３】
このような構成によれば、単一の情報処理装置１０と、データ通信装置３４とを用いることにより、情報処理装置１０と会場用表示装置３６との間の距離がＨＤＭＩ（登録商標）信号が減衰するような長距離（例えば１０ｍ以上）であっても会場用表示装置３６に表示用データを確実に表示させることができる。
なお、上記構成に代えて、係員用の情報処理装置１０の他に別の情報処理装置１０を用意しておき、それら情報処理装置１０をＬＡＮ通信で結び、係員用の情報処理装置１０から表示用データとしてのＬＡＮ信号をＬＡＮ通信を介して別の情報処理装置１０に供給し、別の情報処理装置１０によってＬＡＮ信号をＨＤＭＩ（登録商標）信号に変換して会場用表示装置３６に供給して、会場用表示装置３６に表示用データを表示させることも考えられる。
しかしながら、この場合は、２台の情報処理装置１０が必要となるため、本実施の形態のように１台の情報処理装置１０とデータ通信装置３４を用意する場合に比較して、設備費用がかさむため、本実施の形態の構成の方が有利である。
なお、本実施の形態では、映像信号としてＨＤＭＩ（登録商標）信号を用いる場合について説明したが、映像信号として従来公知の様々な規格の映像信号を使用できることは無論である。
【００３４】
次に、図１４に示すフローチャートを参照して情報処理装置１０の動作について説明する。
予め、係員用の情報処理装置１０、データ通信装置３４、会場用表示装置３６が会場に設置され、互いに接続されているものとする。
【００３５】
まず、個人あるいは団体の名前を示す選手名データｄ５を含む属性データＤＡと、個人あるいは団体に与えられる得点データＤＢとを関連付けた複数の表示用データを格納するデータベース３２を用意する（ステップＳ１０）。
データベース３２を用意する方法として次のようなものが挙げられる。
１）情報処理装置１０の入力部２２を用いて表示用データを直接入力することにより行なう。
２）係員用の情報処理装置１０とは別の情報処理装置で表計算のアプリケーションソフトを用いて作成された表示用データをインターネットを含む通信網２から通信部２４を介して受け取ることにより行なう。
３）ＵＳＢコネクタなどの外部接続コネクタ２６を介して外部装置から表示用データを受け取ることによって行なう。
４）カードスロット２８を介してカード型記録媒体から表示用データを受け取ることによって行なう。
【００３６】
ＣＰＵ１２は制御プログラムを実行することにより、図４に示すように、種目毎に関連付けられ種目を表示する種目表示タブＴ１〜Ｔ４をそれぞれ係員用表示部２０に表示する（ステップＳ１２）。
そして、係員による入力部２２の操作により種目表示タブから１つの種目表示タブが選択される（ステップＳ１４）。
すると、その選択操作を受け付けたＣＰＵ１２は、選択された種目表示タブに対応する種目の複数の表示用データを係員用表示部２０に一覧表示し、かつ、選択された種目表示タブの表示状態を残りの種目表示タブと異ならせて係員用表示部２０に表示する（ステップＳ１６）。
このようにして、データベース３２に格納された複数の表示用データを係員用表示部２０に一覧表示する。
【００３７】
次に、係員による入力部２２の操作により、係員用表示部２０に一覧表示された複数の表示用データから１つの表示用データを選択する選択操作がなされる。具体的には、一覧表示された複数の表示用データのそれぞれに対応して設けられた表示ボタンＢ１が選択操作される（ステップＳ１８）。
すると、ＣＰＵ１２は、入力部２２の操作に基いて１つの表示用データを選択する（ステップＳ２０）。
【００３８】
次いで、ＣＰＵ１２は、選択された１つの表示用データに含まれる得点データＤＢのうち加点が０点であるか否かを判定する（ステップＳ２２：判定ステップ）。
なお、前述したように、表示用データの得点データＤＢのうち少なくとも加点が空白データであってもよく、その場合は、ステップＳ２２（判定ステップ）において、表示用データ選択部１２Ｂで選択された１つの表示用データに含まれる得点データＤＢのうち加点が空白データであると、加点が０点であるものとして判定を行なう。
ステップＳ２２の判定結果が肯定の場合に、ＣＰＵ１２は、選択された１つの表示用データのうち得点データＤＢを除き少なくとも選手名データｄ５を含む属性データＤＡを、図６に示すように、競技前表示用データとして会場用表示装置３６に表示させる（ステップＳ２４：競技前データ表示ステップ）。
また、ＣＰＵ１２は、係員用表示部２０に複数の表示用データを一覧表示させた状態で、図４に示すように、会場用表示装置３６の表示内容と同一の表示３８を係員用表示部２０に行わせる（ステップＳ２６：モニタ表示ステップ）。
そして、競技後の得点が決定すると、係員は、入力部２２を用いて、Ｄ点データｄ６、Ｅ点データｄ７、減点データｄ８、合計得点データｄ９を表示用データにそれぞれ入力してデータを更新し（ステップＳ２８）、ステップＳ２２に戻る。
【００３９】
ステップＳ２２の判定結果が否定の場合に、ＣＰＵ１２は、選択された１つの表示用データに含まれる少なくとも選手名データｄ５を含む属性データＤＡと得点データＤＢとを、図７（Ａ）、（Ｂ）に示すように、競技後表示用データとして会場用表示装置３６に表示させる（ステップＳ３０：競技後データ表示ステップ）。
また、ＣＰＵ１２は、係員用表示部２０に複数の表示用データを一覧表示させた状態で、図５に示すように、会場用表示装置３６の表示内容と同一の表示３８を係員用表示部２０に行わせる（ステップＳ３２：モニタ表示ステップ）。
次いで、ＣＰＵ１２は、ステップＳ１２に戻り、次の競技者について同様の処理を実行する。
【００４０】
すなわち、新体操では、前述したように１つのフロアで２つの競技種目を交互に行なうため、ステップＳ１４で入力部２２に対する操作により、種目表示タブが例えばフープからボールに選択操作される。
これにより、ステップＳ１６で、ボールに対応した表示用データが係員用表示部２０に一覧表示され、以下同様の処理がなされる。
【００４１】
ステップＳ３２の処理後、ステップＳ１４で種目表示タブがボールからフープに選択操作される。
これにより、ステップＳ１６で、再びフープに対応した表示用データが係員用表示部２０に一覧表示されるが、この際、図１２に示すように、前回選択された１つの表示用データの表示状態を残りの表示用データと異なる表示状態とする。すなわち、フープの種目を演技した前回の競技者に対応する１つの表示用データの行がハッチングで示すように、残りの表示用データの行とは異なる背景色で表示される。
【００４２】
ステップＳ２８の処理後、ステップＳ１４で種目表示タブがフープからボールに選択される。
これにより、ステップＳ１６で、再びボールに対応した表示用データが係員用表示部２０に一覧表示されるが、この際、図１３に示すように、前回選択された１つの表示用データの表示状態を残りの表示用データと異なる表示状態とする。すなわち、ボールの種目を演技した前回の競技者に対応する１つの表示用データの行がハッチングで示すように、残りの表示用データの行とは異なる背景色で表示される。
このような処理がなされるため、係員は、前回の競技者を容易にかつ確実に把握でき、種目を交互に切り替えながら得点表示を行なう際に、得点表示を誤って行なうことが防止される。
【００４３】
また、ＣＰＵ１２は、図１４で示すフローチャートの処理を実行している間、図１５に示す処理を定期的に実行する。
すなわち、ＣＰＵ１２は、入力部２２に対して特定操作がなされたか否かを判定する（ステップＳ１００）。
ステップＳ１００の判定結果が否定ならば処理を終了する。
ステップＳ１００の判定結果が肯定ならば、ＣＰＵ１２は、図９に示すように、係員用表示部２０にパスワードの入力を要求する表示を行なう（ステップＳ１０２）。
ＣＰＵ１２は一定時間以内にパスワードが入力されたか否かを判定し、一定時間以内にパスワードが入力されない場合は、処理を終了する（ステップＳ１０４）。
一定時間以内にパスワードが入力された場合、入力されたパスワードが真正か否かを判定する（ステップＳ１０６）。
パスワードが真正であれば、ＣＰＵ１２は、特定操作を受け付ける（ステップＳ１０８）。
パスワードが不正であれば、ＣＰＵ１２は、入力されたパスワードが不正である旨を係員用表示部２０に表示させ（ステップＳ１１０）、ステップＳ１０２に戻る。
【００４４】
以上説明したように、本実施の形態によれば、データベース３２に格納された複数の表示用データを第１表示装置に一覧表示し、入力部２２に対してなされる操作に基いて、一覧表示された複数の表示用データから１つの表示用データを選択し、選択された１つの表示用データに含まれる得点データＤＢのうち加点が０点であるか否かを判定し、判定結果が肯定の場合に、選択された１つの表示用データのうち得点データＤＢを除き少なくとも選手名データｄ５を含む属性データＤＡを、競技前表示用データとして観客用の第２表示装置に表示させ、判定結果が否定の場合に、選択された１つの表示用データに含まれる少なくとも選手名データｄ５を含む属性データＤＡと得点データＤＢとを、競技後表示用データとして第２表示装置に表示させるようにした。
したがって、従来のように、競技前の情報を表示するための情報処理装置および表示装置と、競技後の情報を表示するための情報処理装置および表示装置とを別々に用意する必要がなく、１つの情報処理装置１０を用いて会場用表示装置３６に競技前の情報と競技後の情報とを表示させることができる。
そのため、設備費用の低減を図る上で有利となり、競技前の情報と競技後の情報とを観客にとって見やすく表示する上で有利となる。
さらに、表示用データに含まれる得点データＤＢのうち加点が０点であるか否かに基いて、競技前表示用データおよび競技後表示用データの一方を選択して会場用表示装置３６に表示させるようにしたので、競技前表示用データおよび競技後表示用データの何れを表示させるかを係員が判断する必要がなく、係員の負担の軽減を図り、また、誤った表示を行なうことを防止する上でも有利となる。
また、表示用データの得点データＤＢのうち少なくとも加点が空白データの場合に、加点が０点であるものとして加点が０点であるか否かの判定を行なうようにしてもよく、その場合も上記と同様の効果が奏される。
【００４５】
また、本実施の形態では、係員用表示部２０に一覧表示された複数の表示用データのそれぞれに対応して設けられた表示ボタンＢ１を操作することで、表示すべき表示用データを選択できるため、操作性の向上を図る上で有利となる。
【００４６】
また、本実施の形態では、競技前表示用データと競技後表示用データとでは、互いに文字の色、文字の大きさ、文字のレイアウト、背景色の色の少なくとも１つが異なっているので、会場用表示装置３６に表示された表示内容が、競技前であるか、競技後であるかを容易にかつ即座に知ることができ、見やすさの向上を図る上で有利となる。
【００４７】
また、本実施の形態では、種目表示タブから１つの種目表示タブが選択されると、選択された種目表示タブに対応する種目の複数の表示用データを一覧表示し、かつ、選択された種目表示タブの表示状態を残りの種目表示タブと異ならせて表示するようにしたので、現在選択されている表示用データの種目が何であるかを容易にかつ即座に知ることができ、操作性の向上を図る上で有利となる。
【００４８】
また、本実施の形態では、係員用表示部２０に一覧表示される複数の表示用データのうち最も上位の行に表示される１つの表示用データに含まれる種目データｄ２を変更すると、種目表示タブの表示内容を変更した種目データｄ２に変更すると共に、複数の表示用データの種目データｄ２を変更した種目データｄ２に置き代えるようにしたので、種目データｄ２の変更を簡単に行なえ、操作性の向上を図る上で有利となる。
【００４９】
また、本実施の形態では、前回選択された１つの表示用データの表示状態を残りの表示用データと異なる表示状態とするようにしたので、係員は、種目を交互に切り替えながら得点表示を行なう際に、得点表示を誤って行なうことが防止される。
【００５０】
また、本実施の形態では、入力部２２に予め定められた操作以外の特定操作を行った場合に、係員用表示部２０にパスワードの入力を求める表示を行い、入力されたパスワードが真正のものであれば特定操作を許容し、入力されたパスワードが真正のものでなければ特定操作を禁止するようにした。
したがって、パスワードを知らない係員が特定操作を行なうことを防止でき、得点表示を正常に行なえなくなるといった不都合を回避する上で有利となる。
【００５１】
また、本実施の形態では、係員用表示部２０に複数の表示用データを一覧表示させた状態で、会場用表示装置３６の表示内容と同一の表示３８を係員用表示部２０に行わせるようにしたので、係員は、係員用表示部２０の表示を見るだけで、会場用表示装置３６の表示内容を把握することができ、操作性の向上を図る上で有利となる。
【符号の説明】
【００５２】
１０  情報処理装置
１２  ＣＰＵ
１８  ハードディスク装置
２０  係員用表示部
２２  入力部
３２  データベース
１２Ａ  表示用データ表示部
１２０２  第１の種目表示タブ表示部
１２０４  第２の種目表示タブ表示部
１２Ｂ  表示用データ選択部
１２Ｃ  判定部
１２Ｄ  競技前データ用表示部
１２Ｅ  競技後データ用表示部
１２Ｆ  モニタ表示部
１２Ｇ  表示変更部
１２Ｈ  誤操作防止部１２Ｈ
３４  データ通信装置
３６  会場用表示装置
３８  同一の表示
ＤＡ  属性データ
ｄ１  番号データ
ｄ２  種目データ
ｄ３  地区データ
ｄ４  団体名データ
ｄ５  選手名データ（名前データ）
ＤＢ  得点データ
ｄ６  Ｄ点データ（加点）
ｄ７  Ｅ点データ（加点）
ｄ８  減点データ（減点）
ｄ９  合計得点データ（加点）
Ｔ０〜Ｔ４  種目表示タブ
Ｂ１  表示ボタン
【要約】
【課題】設備費用の低減を図りつつ、観客にとって見やすい表示を行なえ、係員の負担の軽減を図ると共に誤った表示を防止する。
【解決手段】データベース３２に格納された複数の表示用データを第１表示装置に一覧表示し、入力部２２に対してなされる操作に基いて、一覧表示された複数の表示用データから１つの表示用データを選択し、選択された１つの表示用データに含まれる得点データＤＢのうち加点が０点であるか否かを判定し、判定結果が肯定の場合に、選択された１つの表示用データのうち得点データＤＢを除き少なくとも選手名データｄ５を含む属性データＤＡを、競技前表示用データとして観客用の第２表示装置に表示させ、判定結果が否定の場合に、選択された１つの表示用データに含まれる少なくとも選手名データｄ５を含む属性データＤＡと得点データＤＢとを、競技後表示用データとして第２表示装置に表示させる。
【選択図】図２【図１】
0006031630.tif 000002
【図２】
0006031630.tif 000003
【図３】
0006031630.tif 000004
【図４】
0006031630.tif 000005
【図５】
0006031630.tif 000006
【図６】
0006031630.tif 000007
【図７】
0006031630.tif 000008
【図８】
0006031630.tif 000009
【図９】
0006031630.tif 000010
【図１０】
0006031630.tif 000011
【図１１】
0006031630.tif 000012
【図１２】
0006031630.tif 000013
【図１３】
0006031630.tif 000014
【図１４】
0006031630.tif 000015
【図１５】
0006031630.tif 000016